【手続補正書】
【提出日】平成20年6月12日(2008.6.12)
【手続補正１】
【補正対象書類名】明細書
【補正対象項目名】特許請求の範囲
【補正方法】変更
【補正の内容】
【特許請求の範囲】
【請求項１】  シートに対して折り処理を行う折りローラ対と、前記折りローラ対により折り処理されながら前記折りローラ対のニップを通過したシートを積載する折りシート積載部とを備えたシート処理装置において、
前記折り処理を行う場合には前記シートを前記折りローラ対のニップに臨む折り位置に移動させる第１位置と、前記折り処理を行わない場合にはシートを前記折りローラ対のニップに向かわせる第２位置とにそれぞれ選択的に移動可能なガイド部材を備えたことを特徴とするシート処理装置。
【請求項２】  前記ガイド部材の折りローラ対側の端部には、前記ガイド部材が前記第２位置に移動した際、シートを前記折りローラ対のニップに向かわせる湾曲部が形成されていることを特徴とする請求項１記載のシート処理装置。
【請求項３】  シートに対して折り処理を行う折りローラ対と、前記折りローラ対により折り処理されながら前記折りローラ対のニップを通過したシートを積載する折りシート積載部とを備えたシート処理装置において、
前記折りローラ対のニップに臨む折り位置に移動したシートを前記折りローラ対のニップに突き入れる突き入れ部材を備え、
前記突き入れ部材を、シートを前記折り位置に移動させる受け入れ位置と、前記折り処理を行う場合にはシートを前記折りローラ対のニップに突き入れる突き入れ位置と、前記折り処理を行わない場合にはシートを前記折りローラ対のニップに向かわせる案内位置とにそれぞれ選択的に移動させることを特徴とするシート処理装置。
【請求項４】  前記突き入れ部材の折りローラ対側の端部には、前記突き入れ部材が前記案内位置に移動した際、シートを前記折りローラ対のニップに向かわせる湾曲部が形成されていることを特徴とする請求項３記載のシート処理装置。
【請求項５】  前記折り処理を行う前のシートの整合を行う中間積載部と、
シートを前記中間積載部に搬送する第１搬送路と、
前記第１搬送路から分岐し、シートを直接的に前記折りローラ対のニップに向かわせる第２搬送路と、
前記第１搬送路と前記第２搬送路との分岐点に設けられ、前記折り処理を行う場合にはシートを前記第１搬送路に向かわせる第１位置と、前記折り処理を行わない場合にはシートを前記第２搬送路に向かわせる第２位置とにそれぞれ選択的に移動する通路切換手段と、
を備えたことを特徴とする請求項３記載のシート処理装置。
【請求項６】  前記第２搬送路の下流側に設けられ、前記第２搬送路を通過したシートを前記折りローラ対のニップに向かわせる位置に選択的に移動する切換手段を備えたことを特徴とする請求項５記載のシート処理装置。
【請求項７】  前記案内位置は、前記受け入れ位置と前記突き入れ位置の間の位置であることを特徴とする請求項３乃至６のいずれか１項に記載のシート処理装置。
【請求項８】  前記折りローラ対の折り処理を行わない場合のシート搬送速度を、折り処理を行う場合のシート搬送速度よりも速くしたことを特徴とする請求項１乃至７のいずれか１項に記載のシート処理装置。
【請求項９】  シートに画像を形成する画像形成部と、前記画像形成部により画像を形成した後のシートの処理を行うシート処理装置とを備えた画像形成装置において、
前記シート処理装置は前記請求項１乃至８のいずれか１項に記載のものであることを特徴とする画像形成装置。
【手続補正２】
【補正対象書類名】明細書
【補正対象項目名】００１０
【補正方法】変更
【補正の内容】
【００１０】
【課題を解決するための手段】
本発明は、シートに対して折り処理を行う折りローラ対と、前記折りローラ対により折り処理されながら前記折りローラ対のニップを通過したシートを積載する折りシート積載部とを備えたシート処理装置において、前記折り処理を行う場合には前記シートを前記折りローラ対のニップに臨む折り位置に移動させる第１位置と、前記折り処理を行わない場合にはシートを前記折りローラ対のニップに向かわせる第２位置とにそれぞれ選択的に移動可能なガイド部材を備えたことを特徴とするものである。
【手続補正３】
【補正対象書類名】明細書
【補正対象項目名】００１１
【補正方法】変更
【補正の内容】
【００１１】
また本発明は、前記ガイド部材の折りローラ対側の端部には、前記ガイド部材が前記第２位置に移動した際、シートを前記折りローラ対のニップに向かわせる湾曲部が形成されていることを特徴とするものである。
【手続補正４】
【補正対象書類名】明細書
【補正対象項目名】００１２
【補正方法】変更
【補正の内容】
【００１２】
また本発明は、シートに対して折り処理を行う折りローラ対と、前記折りローラ対により折り処理されながら前記折りローラ対のニップを通過したシートを積載する折りシート積載部とを備えたシート処理装置において、前記折りローラ対のニップに臨む折り位置に移動したシートを前記折りローラ対のニップに突き入れる突き入れ部材を備え、前記突き入れ部材を、シートを前記折り位置に移動させる受け入れ位置と、前記折り処理を行う場合にはシートを前記折りローラ対のニップに突き入れる突き入れ位置と、前記折り処理を行わない場合にはシートを前記折りローラ対のニップに向かわせる案内位置とにそれぞれ選択的に移動させることを特徴とするものである。
【手続補正５】
【補正対象書類名】明細書
【補正対象項目名】００１３
【補正方法】変更
【補正の内容】
【００１３】
また本発明は、前記突き入れ部材の折りローラ対側の端部には、前記突き入れ部材が前記案内位置に移動した際、シートを前記折りローラ対のニップに向かわせる湾曲部が形成されていることを特徴とするものである。
【手続補正６】
【補正対象書類名】明細書
【補正対象項目名】００１４
【補正方法】変更
【補正の内容】
【００１４】
また本発明は、前記折り処理を行う前のシートの整合を行う中間積載部と、シートを前記中間積載部に搬送する第１搬送路と、前記第１搬送路から分岐し、シートを直接的に前記折りローラ対のニップに向かわせる第２搬送路と、前記第１搬送路と前記第２搬送路との分岐点に設けられ、前記折り処理を行う場合にはシートを前記第１搬送路に向かわせる第１位置と、前記折り処理を行わない場合にはシートを前記第２搬送路に向かわせる第２位置とにそれぞれ選択的に移動する通路切換手段と、を備えたことを特徴とするものである。
【手続補正７】
【補正対象書類名】明細書
【補正対象項目名】００１５
【補正方法】変更
【補正の内容】
【００１５】
また本発明は、前記第２搬送路の下流側に設けられ、前記第２搬送路を通過したシートを前記折りローラ対のニップに向かわせる位置に選択的に移動する切換手段を備えたことを特徴とするものである。
【手続補正８】
【補正対象書類名】明細書
【補正対象項目名】００１７
【補正方法】変更
【補正の内容】
【００１７】
また本発明は、前記折りローラ対の折り処理を行わない場合のシート搬送速度を、折り処理を行う場合のシート搬送速度よりも速くしたことを特徴とするものである。
【手続補正９】
【補正対象書類名】明細書
【補正対象項目名】００１９
【補正方法】変更
【補正の内容】
【００１９】
また本発明の構成により、折り処理を行う場合にはシートを折りローラ対のニップに臨む折り位置に移動させる第１位置と、折り処理を行わない場合にはシートと当接してシートを折りローラ対のニップに向かわせる第２位置とにそれぞれ選択的に移動可能なガイド部材により、折り処理を行わない場合にはシートを折りローラ対のニップに向かわせることによって折り処理されたシートを積載する折りシート積載部に、折り処理が行われていないシートを積載する。
【手続補正１０】
【補正対象書類名】明細書
【補正対象項目名】００４２
【補正方法】変更
【補正の内容】
【００４２】
この場合、まずシートＰを中間積載部２０４へ排紙した後、第２束搬送ローラ２１０により、図７に示すように折りローラ対２１２に向けて上流（図中左）から送り込み、このシートＰが所定の位置に達すると、不図示の駆動手段によりリンクレバー２１７が時計方向に回動し、これに伴いフラッパ２１５が、シートＰを折りローラ対２１２のニップに臨む折り位置に移動させる第１位置から、シートＰを折りローラ対２１２のニップに向かわせる第２位置に向かって下方に移動する。
【手続補正１１】
【補正対象書類名】明細書
【補正対象項目名】００５４
【補正方法】変更
【補正の内容】
【００５４】
この場合、まずシートＰを中間積載部２０４へ排紙した後、第２束搬送ローラ２１０により、折りローラ対２１２に向けて上流（図中左）から送り込み、このシートＰが所定の位置に達すると、リンク部材３０１が時計方向に回動し、図１３に示すように突き板部材３００が既述した図９に示す受け入れ位置から下方の、シートＰを折りローラ対２１２のニップに向かわせる案内位置に移動する。
【手続補正１２】
【補正対象書類名】明細書
【補正対象項目名】００５６
【補正方法】変更
【補正の内容】
【００５６】
これにより、この後、上流側（図中左方）から送り込まれたシートＰは、図１４に示すようにフラッパＰの先端部の左側に形成されている湾曲面Ｗに当接して向きを変え、折りローラ対２１２のニップに向かい、そのまま折りローラ対２１２により下方の冊子排紙ローラ２１３を経て積載トレイ２１４に積載される。
【手続補正１３】
【補正対象書類名】明細書
【補正対象項目名】００６０
【補正方法】変更
【補正の内容】
【００６０】
図１５において、４０３は処理装置本体２００Ａに形成されたシート入り口２００Ｂから搬送されたシートＰを中間積載部２０４に搬送する第１搬送路、４０２は第１搬送路４０３から分岐してシートＰを折りローラ対２１２のニップに向かわせる第２搬送路である。
【手続補正１４】
【補正対象書類名】明細書
【補正対象項目名】００６１
【補正方法】変更
【補正の内容】
【００６１】
また、４０１は第１搬送路４０３と第２搬送路４０２との分岐点に設けられた通路切換手段である入口フラッパであり、この入口フラッパ４０１は不図示の駆動手段により、折り処理を行う場合にはシートＰを第１搬送路４０３に向かわせる破線で示す第１位置と、折り処理を行わない場合にはシートＰを第２搬送路４０２に向かわせる実線で示す第２位置とにそれぞれ選択的に移動するようになっている。
【手続補正１５】
【補正対象書類名】明細書
【補正対象項目名】００６４
【補正方法】変更
【補正の内容】
【００６４】
一方、このようにシートＰが入口フラッパ４０１及びゲートフラッパ４０９により折りローラ対２１２のニップへ向かって搬送されると、これと同時に同図に示すように、それまで受け入れ位置に待機していた突き板２１１が、下方の案内位置まで移動する。これにより、シートＰは突き板２１１の図中左側面にガイドされて、折りローラ対２１２のニップに向かい、この後、更に下流の冊子排紙ローラ２１３によって下流へと搬送され、排紙ローラ４１２によって積載トレイ２１４に積載される。
【手続補正１６】
【補正対象書類名】明細書
【補正対象項目名】００６９
【補正方法】変更
【補正の内容】
【００６９】
なお、本実施の形態においては、折り処理を行うシートＰを一旦第２搬送路４０２に搬送した後、第１搬送路４０３に向かわせる構成としたが、入口フラッパ４０１を図１５の破線で示す第１位置に移動させ、シート入り口２００Ｂから搬送されたシートＰを第１搬送路に直接進入させるようにしても良い。
【手続補正１７】
【補正対象書類名】明細書
【補正対象項目名】００７０
【補正方法】変更
【補正の内容】
【００７０】
【発明の効果】
以上述べたように本発明のように、折り処理を行わない場合にはシートを折りローラ対のニップに向かわせることにより、コストの増加及び装置本体の大型化を招くことなく折りシート積載部に、折り処理が行われていないシートを積載させることができる。